(57)【要約】固定装置（２０）は、種々のコードや装置をそれぞれ差込口へ固定するための電気的コネクタに対するものである。装置は、雌型コンセント（３０）と雄型コンセント（２４，２６）を有していても良いし、雌型コンセントだけ、あるいは雄型コンセントだけ有していても良い。雌型コンセント（３０）は、ねじ型プランジャ（４２）、スリーブ型プランジャ（４４）、あるいはコンセントへ差し込まれる差込部を保持するスリーブに対して圧力を加える他の手段を有しても良い。雄型コンセント（２４，２６）はプラグをコンセントに締め付けるようにスリーブ型プランジャ（１００）あるいは差込部の少なくとも１つに対して圧力を加える他の手段を有しても良い。装置の雌型コンセント及び雄型コンセントは、延長コードを作るためにコードを用いて分離することが可能である。雌型プラグの雌型コンセントは、ツールあるいは器具のコードへ取り付けることも可能である。複数の雌型コンセントはロック式コンセントを有する電源ストリップを作るために、単一ユニットとして用いることが可能である。
2004523074.tif 000002
【特許請求の範囲】
【請求項１】
ハウジングと、
前記ハウジング内に位置する近位端部と前記ハウジングから延びる遠位端部をもつ第一差込部と、
前記ハウジング内に位置する近位端部と、前記ハウジングから延びかつ前記第一差込部の遠位端部へ向かう方向へ選択的に移動可能な遠位端部をもつ第二差込部と、
から構成されるソケット固定プラグ。
【請求項２】
前記第一差込部の遠位端部が前記第二差込部の遠位端部へ向かう方向へ選択的に移動可能であることを特徴とする請求項１項記載のプラグ。
【請求項３】
前記第一差込部と前記第二差込部の少なくとも一方の近位端部がコードへ接続されていることを特徴とする請求項１項記載のプラグ。
【請求項４】
前記第二差込部及び前記第一差込部双方の近位端部がコードへ接続されていることを特徴とする請求項１項記載のプラグ。
【請求項５】
ハウジングと、
前記ハウジング内に位置する近位端部と前記ハウジングから延びる遠位端部をもつ第一差込部と、
前記ハウジング内に位置する近位端部と、前記ハウジングから延びかつ前記第一差込部の遠位端部から離れる方向へ選択的に移動可能である遠位端部をもつ第二差込部と、
から構成されるソケット固定プラグ。
【請求項６】
前記第一差込部の遠位端部が前記第二差込部の遠位端部から離れる方向へ選択的に移動可能であることを特徴とする請求項５項記載のプラグ。
【請求項７】
前記第一差込部及び前記第二差込部の少なくとも一方の近位端部がコードへ接続されていることを特徴とする請求項５項記載のプラグ。
【請求項８】
前記第二差込部と前記第一差込部双方の近位端部がコードへ接続されていることを特徴とする請求項５項記載のプラグ。
【請求項９】
ハウジングと、
差込部が前記ハウジングへ挿入された時に前記差込部を受けるように前記ハウジング内に配置されたスリーブと、
ソケット内で前記差込部を選択的に締め付けるように前記スリーブへ少なくとも１種の応力を選択的に加える手段と、
から構成される差込部受けソケット。
【請求項１０】
前記スリーブへ少なくとも１種の応力を選択的に加える手段が前記スリーブの湾曲部上で機能を果たすプランジャを含むことを特徴とする請求項９項記載のソケット。
【請求項１１】
前記プランジャが、前記スリーブへ少なくとも１種の応力を選択的に加えられるように前記ハウジング部材内で移動可能なねじ型プランジャであることを特徴とする請求項１０項記載のソケット。
【請求項１２】
前記プランジャが、前記スリーブへ少なくとも１種の応力を選択的に加えられるように前記ハウジング部材に対して移動できるスリーブ型プランジャであることを特徴とする請求項１０項記載のソケット。
【請求項１３】
中に開口部を備えるハウジングと、
前記ハウジング内の前記開口部に隣接して位置し、かつ外部差込部を受け入れられるスリーブと、
前記スリーブに隣接する前記ハウジングに対して位置し、外部差込部を前記ハウジング内に受け入れた時に前記外部差込部を締め付けるように前記スリーブから突出する湾曲部に噛合するため前記ハウジングに対して移動可能なプランジャと、
から構成される外部差込部受け入れ固定装置。
【請求項１４】
ハウジングと、
前記ハウジング内に位置し、前記ハウジングから突出する噛合端部を備える第一差込部と、
前記ハウジング内に位置し、前記ハウジングから突出する噛合端部を備える第二差込部と、
前記第二差込部に隣接する前記ハウジング上に配置され、前記第二差込部の噛合端部を前記第一差込部の噛合端部に対して移動させるように前記第二差込部から延びる湾曲部と噛合するために前記ハウジングに対して移動可能なプランジャと、
から構成されるソケット内噛合固定装置。
【請求項１５】
中に複数の開口部をもつハウジングと、
前記ハウジング中の複数の開口部の１つの開口部内に位置し、複数外部差込部のうちの１つを受け入れられるスリーブへ作動可能に接続され、さらに噛合端部を備える第一内部差込部と、
前記ハウジング中の複数の開口部の１つの開口部内に位置し、複数外部差込部のうちの１つを受け入れられるスリーブへ作動可能に接続され、かつ噛合端部を備える第二内部差込部と、
前記第一内部差込部に隣接するハウジング内に配置され、前記スリーブ内に前記外部差込部を受け入れた時に前記外部差込部を締め付けるように前記第一内部差込部から突出する湾曲部と噛合するために前記ハウジングに対して移動可能な第一プランジャと、
前記第二内部差込部に隣接するハウジング上に配置され、前記第二差込部の噛合端部を前記第一差込部の噛合端部の方へ移動させるように前記第二内部差込部から延びる湾曲部に噛合するために前記ハウジングに対して移動可能な第二プランジャと、
から構成される複数の外部差込部を受けてソケット中で噛合する固定装置。
【請求項１６】
プラグ端部と、貫通する複数の開口部をもつコンセント端部を備えるハウジングと、
噛合端部がハウジングのプラグ端部から突き出すように前記ハウジング内にその一部が位置する第一差込部と、
前記ハウジングのコンセント端部にある複数の開口部の１つに隣接して位置し、かつ前記第一差込部へ作動可能に接続された第一スリーブと、
噛合端部が前記ハウジングのプラグ端部から突出するように前記ハウジング内にその一部が位置する第二差込部と、
から構成されるアダプタであって、
前記第一スリーブは、前記第一外部差込部が前記ハウジングのコンセント端部中へ配置された時、第一外部差込部を選択的に締め付けることができ、及び
前記第一差込部の噛合端部と前記第二差込部の噛合端部の少なくとも一方が他方の噛合端部に対する方向へ選択的に移動可能であることを特徴とするアダプタ。
【請求項１７】
前記ハウジングのコンセント端部にある複数の開口部の１つに隣接して位置し、前記第二差込部へ作動可能に接続され、及び第二外部差込部が前記ハウジングのコンセント端部中に配置された時前記第二外部差込部を選択的に締め付けることができる第二スリーブをさらに含むことを特徴とする請求項１６項記載のアダプタ。
【請求項１８】
前記第一差込部の噛合端部と前記第二差込部の噛合端部双方が互いに他方に対して選択的に移動可能であることを特徴とする請求項１６項記載のアダプタ。
【請求項１９】
双方ともコードへ取り付けられたプラグから突き出す第一及び第二差込部において第一差込部の噛合端部と第二差込部の噛合端部をコンセントへ挿入するステップと、
前記第一差込部の噛合端部と前記第二差込部の噛合端部の少なくとも一方を他の差込部の噛合端部に対して移動させるステップと、
から構成されるソケットへのコード固定方法。
【請求項２０】
前記第一差込部の噛合端部と前記第二差込部の噛合端部の少なくとも一方の移動が他の差込部の噛合端部へ向かう移動であることを特徴とする請求項１９項記載の方法。
【請求項２１】
ホイールを回転させるステップによって前記第一差込部の噛合端部及び前記第二差込部の噛合端部双方が他の差込部の噛合端部に対して移動されることを特徴とする請求項１９項記載の方法。
【請求項２２】
前記第一及び第二差込部の噛合端部の移動が互いに他方へ向かう移動であることを特徴とする請求項２１項記載の方法。
【請求項２３】
前記第一及び第二差込部の噛合端部の移動が互いに離れる方向への移動であることを特徴とする請求項２１項記載の方法。
【請求項２４】
前記第一差込部の噛合端部と前記第二差込部の噛合端部の少なくとも一方を移動させるステップがプラグを中心として位置するホイールの回転によって行われることを特徴とする請求項１９項記載の方法。
【請求項２５】
前記第一差込部の噛合端部と前記第二差込部の噛合端部の少なくとも一方を移動させるステップがプラグへ接続されたレバーを動かすことによって行われることを特徴とする請求項１９項記載の方法。
【請求項２６】
プラグから突き出す噛合端部と前記プラグ内に配置された接続端部を備える第一差込部と、前記プラグから突き出す噛合端部と前記プラグ内に配置された接続端部を備え、かつ前記第一差込部の前記噛合端部に対して選択的に移動可能な第二差込部の噛合端部とをもつプラグと、
外部差込部が挿入可能で少なくとも１つの開口部をもち、中に挿入された外部差込部を受け入れかつ選択的に保持するための少なくとも１つの選択的に締め付け可能なスリーブが前記開口部に隣接して内部に含まれるコンセントと、
前記第一差込部の接続端部と前記第二差込部の接続端部へ取り付けられるプラグ端部と前記少なくとも１つの選択的に締め付け可能なスリーブへ取り付けられるコンセント端部とをもつコードと、
から構成される延長コード。
【請求項２７】
電動装置と、
前記電動装置から延びる前記装置への電気供給のための電源コードと、
前記電源コードの端部にあり、プラグから突き出す噛合端部を備える第一差込部と前記プラグから突き出す噛合端部を備える第二差込部を含み、かつ前記第二差込部の前記噛合端部が前記第一差込部の前記噛合端部に対して選択的に移動可能であるプラグ、から構成される装置。
【請求項２８】
前記電源コードには、前記第一差込部へ接続された第一ワイヤ及び前記第二差込部へ接続された第二ワイヤが含まれ、これら第一及び第二ワイヤは共に電源装置へ接続されていることを特徴とする請求項２７項記載の装置。
【発明の詳細な説明】
【技術分野】
【０００１】
本発明は固定装置、より詳細には接続された電気コード等の不測のあるいは不注意による断線を防ぐコード固定装置に関する。
【背景技術】
【０００２】
多くの工業及び商業環境において、便宜上多数の電気延長コードを繋げて接続したり、電機器具へ延長コードを接続することが行われる。家庭及びオフィス環境においては、掃除機、電動芝刈機、ドリル、照明器具、コンピューター等の電気器具用の電源コードプラグがしばしばコンセント及び／または延長コードへと繋がれる。プラグの連結差込部とコンセントのブレード間の摩擦連結は大きく変化し、一般的に節度を超える切り離し引っ張り力に対してコードの保持ができなくなる。同様に商業あるいは工業環境においても複数の器具が延長コードで共通的に接続されている。建設現場ではこれらのコードはしばしば埃や泥や湿気に晒され、さらに大きな切り離し引っ張り力を受けやすい。
【０００３】
ソケットからの不注意によるプラグの完全なあるいは不完全な脱離は単に不快なだけでなく危険である。特に工業及び商業環境おいては、使用中にプラグとソケットとの連結が不注意で脱離されると電源が切断された器具のタイプによっては中断や潜在的な安全上の問題をひき起こす可能性がある。例え脱離が部分的であってもショートを起こし火災や衝撃をひき起こす可能性がある。
【０００４】
大工等はしばしばこのコードが脱離する難点を２本のコードをひと纏めにすることで解決を図ってきた。この方法はコードの末端でそれらコードの一方あるいは双方を弱め破損させるため危険であり電気事故をまねくことになりかねない。さらに、コードを角や他の物の周りを移動させると結び部分が引っかかってしまう。これらコードを一緒に保持するためテープも用いられた。こうすれば多少効果はあるが、テープの除去後にコネクタ上へ接着剤が残って汚くなるし、素早い分離ができず作業が煩雑になる。そのため、ウィーラーの米国特許第６，０１２，９４０号、さらにドナルモの米国特許第４，１８３，６０３号に開示されたような２本のコードを一緒に固定する別タイプのクリップが開発されている。これらのクリップは各コードの周りをクリップで留める大雑把には一個のプラスチック片である。しかしながら、このようなクリップは壁上の差込口へのコードの接続には使えず、扱いにくく、また部分的な脱離の防止にもあまり効果的ではない。
【０００５】
延長コードへ電源コードを固定するため、コバチックらの米国特許第６，１３５，８０３号、ストドルカらの米国特許第５，７３２，４４５号、マグナソンの米国特許第５，３２８，３８４号、ピオスザックの米国特許第４，９５７，４５０号等に開示されたような多数のクランプが開発されてきた。比較的単純なクランプは一般的にフック・アンド・ループ材料あるいはスナップ・フィットと共に保持されるプラスチック片で作られている。しかしながら、かかる装置は前記フック・アンド・ループ材料が一旦汚れて確実な結合性を失えば役に立たなくなる。比較的複雑なクランプは一般的にはねじ機構を併用してロックする２つのパーツで作られる。かかるクランプは一定の用途にはより信頼性が高いが汚れた場合に使えなくなる欠点を猶持っている。建設現場では、電源コードはしばしば地面に裸で置かれ埃や泥がこびり付いてしまう。例え電源コードがきれいでも、これらのクランプは取り付けに時間が掛かりすぎ、また数個のパーツの操作を要するため製造が複雑化しかつ使いにくい。さらに、これらクランプ装置のいくつかのものは、それら装置がコード自体の製造段階においてコードへ取り付けられている場合しか機能を果たさない。他のクランプ装置は使用していない場合は取り外しておかねばならないのである接続から他の接続へコードを切替える場合には移動させる必要がある。
【０００６】
不注意による脱離問題を解決する試みとして、ファルダングの米国特許第５，９３１，７０２号に開示されたような複数の電気ソケットを備える装置あるいはアダプタも開発されている。このファルダングの装置は１本のコードを１本の延長コードへ固定できるだけである（すなわち、１個の雌型接続への１個の雄型接続）。従って、例え５個の雌型接続と１個の雄型接続があっても、雌型接続１個のみが１個の雄型接続へ固定される。５本のコードのうちの４本は猶アダプタから不注意によって脱離されてしまう。さらに、本装置では電気コードがアイレットを通して引っ張られ、かつポスト周囲に巻かれることが要求される。そのためコードに結び目ができる問題が同様に起こる。
【０００７】
プラグを壁の差込口へ固定するラビンらの米国特許第４，４５７，５７１号に開示されたもの等の他の装置も開発されている。ラビンの装置は上部と側面の１つが開口したカップ形状のハウジングで作られている。この開口した側面には壁の差込口の表板上でスライド可能にスロットを噛合させるフランジが備えられている。しかし、これらの装置は壁の差込口への永久取付形式であるためユーザーは複数のセットの購入を強いられる。これらの装置の分離型パーツは無くなり得るものであり、実際に使用していない期間ハウジングがコンセント上へそのままあると子供がハウジングの中へ小さな玩具や液体を入れたくなる可能性がある。さらに、これらの装置は延長コードを電源プラグへ接続している場合には役に立たない。
【０００８】
従って使い安さを考えれば、壁の差込口、延長コード、電源ストリップあるいは他の接続源からコードが外れるのを防止できるコンパクトで簡素な装置が必要とされる。
【０００９】
【特許文献１】米国特許第６，０１２，９４０号明細書
【特許文献２】米国特許第４，１８３，６０３号明細書
【特許文献３】米国特許第６，１３５，８０３号明細書
【特許文献４】米国特許第５，７３２，４４５号明細書
【特許文献５】米国特許第５，３２８，３８４号明細書
【特許文献６】米国特許第４，９５７，４５０号明細書
【特許文献７】米国特許第５，９３１，７０２号明細書
【特許文献８】米国特許第４，４５７，５７１号明細書
【発明の開示】
【００１０】
本発明はコード固定装置に関する。以下にさらに詳しく説明され、また添付の図面に示すように、本発明のコード固定装置では噛合電気接触間へクランプ力を加えて従来型プラグを本装置の一実施態様の雌型端部へ締め付け固定する機械操作手段が用いられている。このクランプ力は雌型端部が雄型差込部に対して種々の方向から応力を与えることによって加えられる。例えば、２股雄型プラグを保持するようにデザインされた雌型装置においては、前記応力は前記２つの差込部間に与えられ、各差込部が締め付けられるように外側へと向けられる。同様に、クランプ力は本装置の他の実施態様の雄型差込部をソケットへ締め付け固定するためにも用いられる。このクランプ力は前記差込部を種々の方向へ動かすことによって与えることができる。例えば、３個の差込部を備える雄型装置の場合、ソケット中にそれら差込部を締め付けるために２個の差込部を動かさない状態で３番目の差込部を他の２つの差込部の方へ内側へ押し付けることが可能である。
【００１１】
本発明の固定装置は種々の実施態様へ組み込むことが可能である。一実施態様として従来型電源コードを延長コードへ固定するために用いることができるコンパクトなアダプタがある。この実施態様には雄型プラグと連結される雌型コンセントが含まれる。前記アダプタには３個の差込部、すなわち高電圧差込部、中性差込部及びアース差込部を支持するハウジングが備えられている。差込部を受ける高電圧部及び中性部にはアダプタへ挿入された雄型プラグを締め付けるようにデザインされたスリーブが含まれている。この「締め付け」あるいはロック機能は、雄型プラグの差込部と噛合する受け側差込部の側部にある湾曲部の方へねじ型プランジャを移動させることによって選択的に得られる機能である。このねじ型プランジャは広く言えば前記ハウジング内を移動するねじ部材である。この実施態様では、ねじ型プランジャはアダプタの雄側からアクセスすることができ、またねじ回し等を用いてそれを回転させることにより移動させることができる。ねじ型プランジャが各受け側差込部にある湾曲部を押し付けるので、それら差込部が外側へ押し付けられる。外側にある受け側差込部の端部を同じ位置に保持することにより雄型プラグ差込部が同じ位置で挟まれる。本実施態様の雄型部分にはアース差込部に対して圧力を加える別タイプのプランジャ（「スリーブ型」プランジャ）が用いられる。前記アース差込部にはその一端に配置された湾曲部を備えている。前記スリーブ型プランジャはそれにねじ式に噛合するホイールによって移動された時にスライドして前記湾曲部と噛合する。前記スリーブ型プランジャが湾曲部を上方へ移動させると、前記アース差込部の露出部分は前記高電圧差込部及び中性差込部の突出部分へ向かって下方へと移動する。この位置にあるアースプラグは、アダプタが差し込まれる壁の差込口あるいは他のコンセントの把持に役立っている。
【００１２】
他の実施態様においては、雌型コンセントは前記ハウジングを取り囲むホイールを回転させることによって移動されるスリーブ型プランジャを用いている。かかる態様は外部プラグが挿入されている部分と反対の面からねじ型プランジャへアクセスすることが容易でないかあるいはアクセスできない装置の場合に特に有用である。従い、本発明による雄型部分が本発明による雌型部分からコードで分離されている延長コードは本発明の一実施態様である。
【００１３】
電源ストリップも本発明のまた別の実施態様である。この電源ストリップの本体上には一列の雌型コンセントがある。各コンセントは雌型コンセントに対応するねじ切りされたホイールを回してロックすることができる。望ましい場合、本発明による雄型プラグを用いて電源へ電源ストリップを接続し、また該プラグをコードを用いて本体へ接続する。特定の用途において所望される場合、前記電源ストリップへサージ防護あるいは電力変換の特徴を組み入れることも可能である。
【００１４】
本発明による雄型部分は製造用のオリジナル装置としてあるいは消費者による交換用プラグとして電気器具に取り付けることができる。従って、本発明による雄型プラグを取り入れたドリル等の手工具は本発明の一実施態様である。本発明の別の実施態様として本発明による雄型プラグを取り入れた掃除機等の電気器具がある。さらに、本発明による雄型プラグあるいは雌型プラグは従来型プラグやコンセントの交換用キットとして販売することも可能である。
【００１５】
ホイールを回すことでロックされる本発明に係る雌型コンセントは種々アダプタにも利用することができる。かかる実施態様の一つは、１個の雄型プラグホイールと１個の雌型コンセントホイールを備えるアダプタである。上記雄型プラグ及び雌型コンセントは細長いハウジングで分離されている。上記雄型プラグ及び雌型コンセントのそれぞれは、それらに対応する別々のホイールを回すことにより該ホイールに対応するプランジャを結果的に移動させることによってロックされる。また本発明の別態様としてＴ字形あるいは他の形状をもつハウジングを備える多アクセス型アダプタがある。この実施態様では、ハウジングから延びる１個の雄型プラグと該ハウジングから延びる少なくとも２個の別の雌型コンセントが用いられる。
【００１６】
本発明は電気プラグの連結に特に有用である一方において他に可能な用途もあるため、電源コード及び電気器具への利用に関する言及をもって本発明の用途を限定しようと考えてはならない。本発明は類似の性能及び特徴を望む分野での利用に有利に適合するものである。本発明の上記及び他の目的及び利点は以下の詳細な説明、特許請求の範囲及び添付図面から明らかにされる。
【発明を実施するための最良の形態】
【００１７】
図１〜９は本発明の一実施態様に係る固定装置を示す図である。この実施態様においては、固定装置は従来型の２股あるいは３股電源コードを他の電源コードあるいは壁の差込口へ固定するために用いることができるアダプタである。この固定装置は図１〜９においてはアダプタ２０として図示されている。アダプタ２０は概略して３つの差込部、「高電圧」差込部２４、「中性」差込部２６及び「アース」差込部２８を支持するハウジング部材２２から構成される。これら用語は電源コードの標準的形状を総称的に指すものであるが、本発明は他のタイプのコネクタによっても利用できるものである。ハウジング２２はプラスチック等の非導電性材料で作られている。図２〜５に示すように、アダプタ２０には外部または従来型差込部を受ける雌型端部３０とアダプタ差込部２４、２６及び２８が突出する雄型端部３２が備えられている。
【００１８】
図１において、ハウジング部材２２の一端はパン３４である。パン３４は実質的に円形な平面３６を有し、該平面にはそこから延びる円筒形側壁３８がある。平面３６及び側壁３８は例えば四角形、卵形等、別個の形状であってもよい。拡張部４０は平面３６から側壁３８と同方向へ延びている。拡張部４０は、差込部２４、２６及び２８、ねじ型プランジャ４２及びスリーブ型プランジャ４４等の内部構成部品のすべてを支える構造を提供するのでアダプタ２０の主要構造部材である。
【００１９】
差込部２４及び２６は電気回路を完成するものであるから銅等の導電性材料で作られている。差込部２４及び２６は差込先端部４６と反対側のスリーブ４８を形成するためには打ち抜かれ、湾曲され及びその中間点で折り曲げられる細長い金属製ブランクで構成されていることが好ましい。もちろん、差込部２４及び２６の製造に鋳造等の他の方法を用いることも可能である。差込先端部４６はアダプタ２０の雄型端部３２から外側に突き出し、そして他の電気コンセントへ差し込まれる。先端部４６にはコンセントへの挿入を容易にするための斜め切り端部５２が隣接して形成されてもよい。ハウジング２２から突出する差込部２４、２６の部分に沿って差込部端部５６へ鋸歯状の切り込み等を形成し、できれば隣接する斜め切り部５２に小さな鉤状端部６０を残す。切り込みを入れた端部及び／または鉤状部は、ここでより明らかにされるように、付加的固定力の付与に役立つものである。差込部スリーブ４８は差込部を受ける雌型端部３０の内部に位置し、該スリーブ４８には差込部の受け入れを容易にするフランジ形成端部５４があることが好ましい。各スリーブ４８の外側には湾曲部６２がある。湾曲部６２は相互に直接交差するように配置され、湾曲部間に何かがやって来てもスリーブでそれを逸らせるように構成されている。湾曲部６２へ付加的な変形強度を与えるため、図１に示すように、湾曲部を有するスリーブ４８の側面４９を湾曲部のない側面５１よりも幅広く形成してもよい。
【００２０】
差込部２８は差込部２４及び２６によって完成された回路のアースとして働く。差込部２４及び２６と同様に、差込部２８にはその先端部６６の部位に斜め切り端部６４と切込み端部６８が設けられていることが好ましい（図１及び２参照）。さらに、先端部６６と反対側の位置に従来型のアース差込部を受けるスリーブ７０が設けられている。これらの類似点とは別に、差込部２８の形状にはいくつかの相違点がある。切込み端部６８と反対側の端部にはスリーブ７０から上方へ傾斜する雄型湾曲部７２が設けられている。さらに、タブ７８がスリーブ７０の末端から直角に延びている。差込部２８は対称な金属ブランクで作られ、先端部６６よりむしろ端部６８に沿って折り曲げられていることが好ましい。さらに別の形状や製造方法を用いることも可能である。対称な側面７４の各々は相互に間隔を空けその間にチャネル７６を形成していることが好ましい。
【００２１】
もちろん差込部２４、２６及び２８の形状を米国以外の殆どの国で使用されているような丸味のある差込部とすることも可能である。差込部２４〜２８は金属打ち抜き／曲げ以外の方法によっても製造できる。
【００２２】
次に図１及び６に示すように、ねじ型プランジャ４２は一般には一方の端部にねじ切り部分８０、及び反対側の端部に斜め切り端部８２が設けられた円筒形部材である。ツール受け用のスロット８４あるいは他の構造が斜め切り端部と反対側の位置に設けられている。Ｐｈｉｌｌｉｐｓ社製ＴＯＲＸ（登録商標）あるいは他の形状のツール・ヘッドとの適合を考えれば、スロット８４ではなく他の構造を用いることも可能である。ねじ型プランジャ４２はプラスチック等の非導電性材料で作られている。用いられるプラスチックは湾曲部６２間を移動する際に概して変形し難いものであることが好ましい。ねじ型プランジャ４２は固形材料ピースから作らることに限定されず、湾曲部６２と接触する一端に絶縁性の斜め切りキャップをもつねじ切りされたシリンダから作ることも可能である。
【００２３】
図１及び４に示すように、スリーブ型プランジャ４４は一般にはプラスチック等の非導電性材料から成るＣ字形部材である。その上部表面８６には円筒形のホイール１００の内側ねじ山と噛合する多数の隆起部８８がある。また上部表面上にはハウジング２２にある支えリブ９２を受ける１対のスロット９０が設けられている。両スロット９０間にはタブ９１がある。チャネルの内面はほぼ矩形であり、内面９４と側面９６によって画定されている。背柱部９８は図４及び５に示すように内面９４上に位置してスリーブ型プランジャ４４の中心軸に沿って短く延びている。背柱部９８はスライドして差込部２８と噛合した時にチャネル７６へはめ込まれる。同じく図４及び５に示すように、斜め切り部９３はタブ９１の下側に配置される。斜め切り部９３の角度が雄型湾曲部７２の角度と一致し、底端部９６がハウジング表面１３６と接触することが好ましい。
【００２４】
ハウジング拡張部４０の形状は上記構成部分によって決まる。図１及び８から分かるように、拡張部４０は面１１０によって画定される空洞を内部に有している。この空洞の最も末端は３つの開口部１１２、１１４及び１１６がある面３６である。差込部２４及び２６は、差込部２４、２６の各々の中心部分１１８を収容する大きさに作られた開口部１１２及び１１４を通って延びている。拡張部４０の他の末端部においては、空洞の対向側面上の位置に各スリーブ４８にあるフランジ５４を収容する窪み１２０が設けられている。例えば、図９及び１２には窪み１２０中に静止しているスリーブ４８とともに空洞へ嵌め込まれた差込部２４及び２６が示されている。開口部１１２及び１１４の間には開口部１１６が位置しており、この開口部１１６は雌型ねじ型プランジャ４２のねじ山と噛合するようにねじ切りされている。図６及び９には湾曲部６２と噛合していない位置にあるねじ型プランジャ４２が示されている。図７にはスリーブ４８が従来型差込部１２４から逸れるように湾曲部６２と噛合しているねじ型プランジャ４２が示されている。不要なプラスチック変形を起こす可能性のあるねじ型プランジャ４２に対するあらゆる圧力を減じるため湾曲部６２と噛合する斜め切り端部８２を設けることが好ましい。
【００２５】
図１、８及び１２に再度言及するが、図中開口部１１２、１１４上方の位置にはアース差込部２８を収容するためのアース差込部２８用開口部１３０がある。開口部１３０は差込部２８の雄型部分の断面形状に適合する大きさに作られているので差込部２４、２６へ向かって下方へ動くことはできても左右に動くことはない。差込部２８がハウジング部材２２上へ位置すると、タブ７８はレール状に切られた棚状部１３２上へ位置する。差込部２８の本体はレール１３４間に位置していてレールに対してほぼ平行である。図１２は組立てられたハウジング２２、差込部２４〜２８、及びねじ型プランジャ４２の破断図を示す。
【００２６】
スリーブ型プランジャ４４は隣接面１３６上をスライドしながらレール１３４と噛合する。スロット９０は面３６から突き出た支えリブ９２を収容することによっては妨げられないので、スロット９０はスリーブ型プランジャ４４がレール１３４の全長に沿って移動することを可能にする。支えリブ９２はパン３４へ構造的支えを付与している。
【００２７】
アダプタ２０の組立を完成させるには、まず差込部２４〜２８及びねじ型及びスリーブ型プランジャ４２、４４を拡張部４０へ配置し、ホイール１００を拡張部４０上へ取り付け、雌型末端キャップ１４０を１対の締め付け具１４２を用いてホイール上へ固定する。締め付け具１４２は末端キャップの開口部１４４を通って延び拡張部４０中の１対の対応するねじ切りされた開口部１４６とねじ方式で噛合する。末端キャップ１４０には差込部２６、差込部２４及び差込部２８の受け側端部にそれぞれ対応する３個の開口部１４８、１５０及び１５２がある。使い易さを考慮すれば、末端キャップ１４０には引っかかりを防止するため斜め切り端部１５４を設け、またグリップを向上させるためホイール１００へぎざぎざ状外面１５６を設けることが好ましい。
【００２８】
図６及び７に示すように、作動上、２つの外部差込部１２４が雌型末端キャップ１４０にある開口部１４８、１５０へ挿入される。もし従来型電源コード１６０にアース差込部１６２があれば、この差込部を雌型末端キャップ１４０にある開口部１５２中へ挿入する。差込部１２４をまず完全に挿入してからドライバー等のハンドツールを用いてねじ型プランジャ４２を回して該プランジャを電源コードの方へ移動させる。この移動によりねじ型プランジャ４２によって雌型湾曲部５２へ圧力が加わり、差込部１２４がスリーブ４８の側面４９及び５１間で締め付けられる。ねじ型プランジャ４２によって加えられた圧力によって差込部１２４と差込部２４、２６間にクランプ力が付加される。金属構成部分間の高摩擦係数とクランプ力とが結合して電源コード１６０が不注意でアダプタ２０から引き抜かれることが防止される。これによりアダプタ２０は電源コード１６０へ完全に固定され、これにより壁上の電源コンセント、電源ストリップ、電気器具等へのロックが可能となる。ねじ接続及び湾曲部により得られる機械的利点と両側面の金属間接触の結合により大きな引き抜き抵抗が付与される。
【００２９】
次に図２〜５を参照すると、アダプタ差込部２４、２６及び２８は壁の差込口、延長コード等の電源コンセント（図示なし）へ完全に挿入される。電気コンセントへアダプタ２０をロックする前に、差込部２４、２６及び２８を図２及び４に示すように相互にほぼ平行にする。ロック効果を得るため、ユーザーはホイール１００をスリーブ型プランジャ４４が差込部２８上の雄型湾曲部７２を上へ移動させる方向へ回転させる。これによって差込部２８の露出部分が差込部２４、２６の方へと下方へ移動されるため、アダプタ２０が接続している電源コンセントから不注意で引き抜かれることが起こりにくくなる。差込部２４、２６及び２８上の任意な切り込み端部５６、６８はロック状態のアダプタ２０の保持力を増大することができる。
【００３０】
コンセントからアダプタ２０をロック解除するため、ホイール１００を反対方向へ回転させてスリーブ型プランジャ４４を雄型湾曲部７２から離れるようにスライドさせる。これによりアダプタをコンセントから取り外すことができる。アダプタ２０から電源コード１６０を取り外すため、ねじ型プランジャ４２を回転させて該プランジャが雌型湾曲部６２から離れるように移動させる。
【００３１】
アダプタ２０の１つの利点は、アダプタ２０へ電源コード１６０を、あるいはコンセントへアダプタ２０をロックするために必要な移動によっていずれの装置の差込部もアダプタ２０あるいはコンセントの外へ戻されることがないことである。さらに、コンパクトな設計であるため通常の電源コードが使える所ならどこでもアダプタの使用が可能であることである。従って、アダプタ２０を２つのアダプタが同時に標準的サイズの壁の差込口に噛合することができるようなサイズにすることが有利なのである。
【００３２】
別の実施態様では、アダプタ２０の雌型部分が雄型部分から分離されている。より詳しく言えば、図１１、１２及び１９に示すように、本発明装置が延長コードとして機能するように雌型コンセント１７０及び雄型プラグ１７２を電源コード１９４を用いて分離することができる。先の実施態様のようにハンドツールを用いてねじ型プランジャへアクセスする必要がないように、雌型コンセント１７０をその相手方アダプタ２０とは異なるように作ることが好ましい。図１０に示すように、雌型コンセント１７０はハウジング１７４、スリーブ１７６、１７８、アースコネクタ１８０、スライド部材１８２、ホイール１８４、及び末端キャップ１８６から構成されている。ハウジング１７４には図１に示した実施態様におけるパン３４と同様に作られたパン１８８が設けられている。図１０では見えないパン１８８の反対側の側面には、図１に示した先の実施態様による末端キャップ１４０にみられる開口部１４４、１４８、１５０及び１５２に類似する５つの開口部が設けられている。このうちの２つの開口部、特に開口部１９０及びねじ切りされた開口部１９２は図１１の内部図から分かる。拡張部２００はパン１８８の内部側面から延びている。拡張部２００はスリーブ１７６、１７８、アースコネクタ１８０及びスライド部材１８２を支える役割を果たしている。従って拡張部２００の形状はこれら構成部品によって決まる。
【００３３】
拡張部２００は通常対向する２つの側面２０４に１対のチャネル２０２をもつ矩形のブロックである。チャネル２０２にはスリーブ１７６、１７８が収容される。開口部２０６は拡張部２００の全長に亘って延びていてアースコネクタ１８０を収容する。前述したようにハウジング１７４はプラスチック等の非導電性材料から成っている。
【００３４】
各スリーブ１７６、１７８は図１〜９に示した実施態様で差込部２４、２６に関して説明した方法により金属から製造することができる。差込部２４、２６とは異なり、スリーブ１７６、１７８はハウジング１７４中に完全に含まれかつ電気コード１９４へ配線されている。すなわち、「高電圧」ワイヤ２０８を波形部２１０の位置でスリーブ１７６へ電気的に接続し、また「中性」ワイヤ２１２を波形部２１４の位置でスリーブ１７８へ電気的に接続する。あるいは、ワイヤ２０８、２１２をスリーブへはんだ固定するか、そうでなければねじを用いる等の別法でスリーブ１７６、１７８へ接続することも可能である。差込部２４及び２６と同様に、スリーブ１７６及び１７８は従来型の差込部を容易にスリーブ中へ挿入できるように受け側末端２２０部位で広がっていることが好ましい。さらに、各スリーブ１７６、１７８にはその外側側面上に雌型湾曲部２２２が設けられている。以下において説明するが、雌型湾曲部２２２にはスライド部材１８２が選択的に噛合する。
【００３５】
アースコネクタ１８０は、鋳造等の他の製造方法を用いることも可能であるが打ち抜き金属板から製造するのが好ましい。スライド２２６は従来型アース差込部の周囲に適合するように湾曲され通常円筒形でありその挿入端部で丸く形成されている。一方の端部において、波形部２２８が側面２２６の各々に配置されている。波形部２２８の一方あるいは双方にはアースワイヤ２３０が電気的に接続されている。
【００３６】
スリーブ１７６、１７８はチャネル２０２内に固定され、かつプラグが挿入される方向へそれらスリーブが移動できないように保持されることが好ましい。同様に、コネクタ１８０はチャネル２０６内に固定されることが好ましい。スライド部材１８２はスライドして拡張部２００と噛合し、雌型プラグ１７０がロックされていない場合にはスライド部材１８２は雌型湾曲部２２２へ圧力を加えない。内側側部表面２４０は雌型湾曲部２２２と接触する該表面部位で傾斜していてもよく（図示なし）、スライド部材１８２の外面２４２にはねじ切りが施されている。開口部２４４はスライド部材の全長に亘って延び、パン開口部１９２（図示なし）に対応している。
【００３７】
ホイール１８４の内側にはねじ山が設けられており、該ホイールがスライブ部材１８２へ装着されて回転された時、スライド部材１８２は拡張部２００に沿って移動される。ホイール１００と同様に、ホイール外面２４８はぎざぎざ状に形成されていることが好ましい。組立てを行うと、ホイール端部２５０はパン端部２５２に接触し、末端キャップ１８６はホイール端部２５４に接触する。ホイール１８４はキャップ開口部２５８を通って延びる１対の締め付け具２５６によってパン１８８へ取り付けられる。電気コード１９４は中心にあるキャップ開口部２６０を通って延びている。キャップ１８６は面２３８に対して締め付けられるためホイール１８４は猶回転可能である。
【００３８】
作動上、ユーザーは、従来型差込部をスリーブ１７６、１７８へ差し込みホイール１８４を回す。次いでスライド部材１８２が雌型湾曲部２２２の方へ移動し、図１に示した先のアダプタの実施態様で述べたように従来型差込部をスリーブ１７６、１７８中へ締め付ける。ホイール１８４を反対方向へ回転させるとプラグ１７０のロックが解除される。
【００３９】
次に延長コードの雄型プラグの実施態様を図１１に示す。本態様はその構成において、ねじ型プランジャがないこと、拡張部４０の空洞（図示なし）がねじ型プランジャ４２を収容する必要がないことを除いて、図１〜９に示したアダプタ２０の雄型部分に幾分類似している。他の主たる相違点は末端キャップが雌型コンセント１７０にある末端キャップ１８６と同一であることである。そのため図１１では末端キャップ１８６として示してある。同じく、図１１のアダプタ２０の雄型部分と同一あるいは類似の構成部品は同一符号で示してある。
【００４０】
図１１の実施態様では、差込部２４、２６が差込部３００及び３０２に置き換えられている。差込部３００、３０２は波形部３０３でワイヤ２０８及び２１２へ直接接続されているので従来型プラグを受ける形状に作られている必要はない。もちろんはんだ接続あるいはねじ等の他の接続方法を用いることも可能である。さらに、開口部３０４及び３０６はアダプタの実施態様の空洞に置き換わるものである。差込部３００は開口部３０４へ挿入され、差込部３０２は開口部３０６へ挿入される。差込部３００、３０２はハウジング２２へ接続してハウジング２２と末端キャップ１８６の間に閉じ込められ、別のコンセントへ差し込まれた際差込部３００及び３０２は移動できないことが好ましい。雄型プラグ１７２は、末端キャップ１８６が締め付け具１４２を用いて拡張部４０へ取り付けられることを除いて、図１〜９に示したアダプタの実施態様の場合と同様な方法で組立てられる。締め付け具１４２は末端キャップ１８６にある開口部２５８を通って延び、ねじ切りされた開口部１４６において拡張部４０へ接続する。
【００４１】
図２０〜２３は本発明に従ったプラグ（全体を示す符号６００）の付加的実施態様を示す図である。プラグ６００には上部差込部６０４と下部差込部６０６を収容するハウジング６０２とハウジング周囲にあるねじ切りされたホイール６０８が備えられている。コード６１０はハウジング６０２内で差込部へ接続されるが、この接続において差込部とコードの周りを既知方法でオーバーモールドして密封型プラグに形成してもよい。ハウジング６０２にはねじ切りされた部分６１２が設けられ、該部分上へホイール６０８が装着される。上部差込部６０４は湾曲部６１６を備えるラグ６１４によってハウジング６０２内の適所に保持されている。図２１（締め付けられていない状態）と図２２（締め付けられている状態）との比較によって明らかなように、ホイール６０８がハウジング６０２のねじ切りされた部分６１２の周りを回転する際、ホイールがラグ６１４に沿って移動して湾曲部６１６と噛み合うことによって上部差込部６０４が下部差込部６０６の方へと移動される。上部差込部６０４が下部差込部６０６の方へ移動している時プラグ６００はロック位置にあるのでソケットから容易に取り外せない。
【００４２】
図２４〜２７は本発明に従ったプラグ（全体を示す符号６００、図２０〜２４の実施態様において示されたパーツに類似するパーツは同一符号を用いて示す）のさらに別の実施態様を示す図である。本実施態様において、プラグ６００には、ラグ６１４中に上部差込部６０４、また基部６１８中に下部差込部６９６を収容するハウジング６０２が含まれている。コード６１０はハウジング内で差込部へ接続されるが、この接続において差込部とコードの周りを当該分野の既知方法でオーバーモールドして密閉型プラグに形成することも可能である。基部６１８には、内部にレバー６２４のカム６２２が配置されているグループ６２０が設けられている。カム６２２には平坦部分と湾曲部分が設けられている。カム６２２の平坦部分がラグ６１４の下面に面するようにグループ６２０内で位置すると、上部差込部６０４は標準的な従来型配置をとる。図２５（締め付けのない状態）と図２６（締め付け状態）を比較すれば明らかなように、カム６２２の平坦部分がラグ６１４の下面に面しないように、またカム６２２の湾曲部分がラグ６１４の下面に向かって押し上げられるようにレバー６２４を動かすと、差込部６０４は下部差込部６０６から離れる方向へ移動される。上部差込部６０４が下部差込部６０６から離れる方向へ移動されると、プラグ６００はソケットから容易に取り外せない位置でロックされる。
【００４３】
図１３に組立て済みの雄型プラグを示す。雄プラグ１７２は図１９に示すような延長コードのみならず、図１３に示すようなドリル３５０等のハンドヘルドツールあるいは図１４に示すような電気掃除機３５２等の器具への取り付けにも有用である。雄型プラグ１７２の取り付けはツールまたは器具の製造工程中であっても製造後であっても実施可能である。本発明に係る図１０及び１１に示した雄型プラグ（あるいは雌型プラグ）は交換用キットとしても販売可能である。雄型プラグ１７２の働きはアダプタ２０の雄型部分の働きと同様である。
【００４４】
本発明の他の実施態様として図１５に示すサージ安全装置あるいは電源ストリップ４００がある。電源ストリップ４００は、雄型プラグが図１１の実施態様で示した雄型プラグ１７２であり雌型コンセント４０２が総じて図１０に示した実施態様の雌型コンセント１７０のような形状をしていることを除けば従来型電源ストリップに類似するものである。雌型コンセント１７０と雌型コンセント４０２との構成上の主たる相違点は末端キャップ１８６がないことである。末端キャップ１８６は、電気コード４０６で雄型プラグ１７２へ電気的に接続された電源ストリップ本体４０４で置換えられている。
【００４５】
本発明のさらに他の実施態様は図１７に示すアダプタ５００である。アダプタ５００は、コード１９４がないこと及び雌型コンセント５０２あるいは雄型プラグ５０４に末端キャップ１８６がないことを除けば、前記した延長コードの実施態様と概して同じ方式で構成される。但しプラグ５０２及び５０４は特定用途に適合する長さあるいは大きさにすることができるハウジング部材５０６によって物理的に連結され、また短いワイヤあるいはハウジング５０６の長さに適合した符号５０８で示す３つの延び出した差込部（高電圧、中性及びアース）によって内部で電気的に接続されている。
【００４６】
多アクセスを可能とするためハウジング５０６を種々形状に形成することも可能である。このような多アクセス型アダプタ５１０の１例として図１６に示す例はＴ字形のハウジング５１２をもつアダプタである。ハウジング５１２は、雌型コンセント５０２の個数に合わせるため、あるいは種々角度からアクセスできるように種々形状に形成することももちろん可能である。ハウジング５０６あるいはハウジング５１０は連結することもできるので（図示なし）、雌型コンセント及び雄型プラグを広範囲の角度に適合させることも可能である。
【００４７】
図１８に示す壁の差込口７００は本発明の別の実施態様である。壁の差込口７００は少なくとも１個あるいは数個の雌型コンセント７０２が取り付けられた壁板で構成されている。雌型コンセント７０２は図１５に示した実施態様の電源ストリップ上の雌型コンセント４０２の場合と同様な方式で作られる。
【００４８】
本発明の特定の実施態様について本文において多数詳細に検討してきたが、図２８〜３４は、クランプ力を用いてソケット中でのプラグのかみ合いを保持する固定装置の提供を目的とする本発明の一般的概念について説明する図である。図２８〜３１はプラグとして具現化した本発明の概念を広く示す図であり、図３２〜３４はソケットとして具現化した本発明の概念を広く示す図である。本文中で開示された特定の実施態様は多様な差込部数及び形状との関わりにおいても適合し利用できることを認識すべきである。
【００４９】
図２８及び２９は３個の差込部をもつプラグとして構成した固定装置（全体を符号３７５で示す）の実施態様を示すものである。図２８において、上部差込部３７７が矢印３７８で示す底部差込部３７９から離れる方向へと移動し、一方該底部差込部は矢印３８０で示す上部差込部３７７から離れる方向へと移動する。差込部がそれぞれ反対方向へ移動することにより、ソケット中へプラグ３７５が締め付けられる。図２８に示した差込部の移動の別態様として、図２９に示す実施態様では、上部差込部３７７が矢印３８２で示す底部差込部３７９へと向かう方向へ移動し、一方該底部差込部は矢印３８４で示す上部差込部３７７へ向かう方向へと移動する。互いの方向へ向かう差込部の移動によってプラグ３７５はソケット中へ締め付けられる。図２８及び２９に示したプラグの場合、一方の差込部を固定したままで他方の差込部だけを移動させることによりクランプ力を付与することも可能である。
【００５０】
図３０及び３１は２個の差込部をもつプラグ３７５の実施態様を示した図である。図３０において、右差込部３８５は矢印３８６で示す左差込部３８７から離れる方向へと移動し、一方左差込部３８７は矢印３８８で示す右差込部３８５から離れる方向へと移動する。これら差込部の反対方向への移動によりプラグはソケット中へ締め付けられる。図３０に示した差込部の移動の別態様である図３１に示す実施態様では、右差込部３８５は矢印３９０で示す左差込部３８７へ向かう方向へと移動し、一方左差込部３８７は矢印３９２で示す右差込部３８５へ向かう方向へと移動する。これら差込部が相互の方向へ移動することによりプラグ３７５はソケット中へ締め付けられる。図３０及び３１に示すプラグの場合、一方の差込部を固定したままで他方の差込部だけを移動させることによりクランプ力を付与することも可能と思われる。
【００５１】
図３２は２股プラグ４２５の挿入が可能なソケットの実施態様を示す図である。この実施態様においては、プラグ４２５の差込部４２７がスリーブ４２９へ挿入された後、内側部材４３１周囲のスリーブ４２９へクランプ圧が加えられるように矢印４２６で示す方向の応力がスリーブ４２９へ加えられる。
【００５２】
図３３は一差込部型プラグ４２５が挿入可能なソケットの実施態様を示す図である。この実施態様では、差込部４２７がスリーブ４２９へ挿入された後、スリーブ４２９へクランプ圧が加わるように矢印４３０で示す方向の応力がスリーブ４２９へ加えられる。図３３に示したクランプ力方向の別態様として、スリーブの一方の側を同じ位置に保持したままスリーブ４２９の他方の側へクランプ力を加える態様も可能である。
【００５３】
図３２に示したソケットの実施態様と同様に、図３４は２股差込部プラグ４２５の挿入が可能なソケットの実施態様を示す図である。但しこの実施態様では、プラグ４２５の差込部４２７がスリーブ４２９へ挿入された後、外側部材４３３へ接するスリーブ４２９に対してクランプ力が加わるように矢印４２８で示す方向の応力がスリーブ４２９へ加えられる。
【００５４】
本文においては本発明の最も実用的かつ好ましい実施態様と認められるものについて示しかつ説明してきたが、本発明を上記特定な実施態様に限定する意図でないことは理解されるべきである。例えば、本発明の実施態様において示され受け入れられた差込部は他諸国の規格あるいは特殊産業器具に適合する種々形状とすることも可能である。さらに、差込部数に関しても上述した実施態様において示した数とは異なる態様とすることも可能である。従って、当業者によれば本発明の精神及び目的から逸脱することなく変形を行うことが可能であると認識されるため、本発明には添付した特許請求の範囲の発明の内容と同等であると妥当に判断されるすべての対象が含まれることが考慮されねばならない。
【図面の簡単な説明】
【００５５】
【図１】図１は本発明の一実施態様に従ってアダプタとして構成された固定装置の分解斜視図である。
【図２】図２は図１に示したアダプタが締め付けられていない位置にある時の側部平面図である。
【図３】図３は図２に示したアダプタが締め付けられた位置にある時の側部平面図である。
【図４】図４は図２に示したアダプタの側部断面図である。
【図５】図５は図３に示したアダプタの側部断面図である。
【図６】図６は図２に示したアダプタへ挿入された雄型プラグを破線７−７に沿って切断した上部部分断面図である。
【図７】図７は図６に示したアダプタへ完全に挿入され、該アダプタ中でロックされた雄型プラグの上部部分断面図である。
【図８】図８は図２に示したアダプタの雌型端部からハウジングを見た場合のハウジングの内面図である。
【図９】図９は図８に示したハウジングにさらに高電圧差込部、中性差込部及びアース差込部が含まれる場合のハウジングの内面図である。
【図１０】図１０は本発明の一実施態様に従った延長コードの雌型コンセントとして構成された固定装置の分解部分斜視図である。
【図１１】図１１は本発明の一実施態様に従った延長コードの雄型プラグとして構成された固定装置の分解部分斜視図である。
【図１２】図１２は図９に示したハウジングの部分破断斜視図である。
【図１３】図１３は本発明の一実施態様に従って手工具として構成された固定装置の斜視図である。
【図１４】図１４は本発明の一実施態様に従って電気器具として構成された固定装置の斜視図である。
【図１５】図１５は本発明の一実施態様に従って電源ストリップとして構成された固定装置の斜視図である。
【図１６】図１６は本発明の一実施態様に従って多アクセス型アダプタとして構成された固定装置の斜視図である。
【図１７】図１７は本発明の一実施態様に従ってアダプタとして構成された固定装置の斜視図である。
【図１８】図１８は本発明の一実施態様に従って壁の差込口として構成された固定装置の斜視図である。
【図１９】図１９は本発明の一実施態様に従って延長コードとして構成された固定装置の斜視図である。
【図２０】図２０は本発明様に係る固定装置の付加的実施態様の斜視図である。
【図２１】図２１は図２１に示した実施態様の固定装置が締め付けられていない時の斜視図である。
【図２２】図２２は図２１に示した実施態様の固定装置が締め付けられている時の側部断面図である。
【図２３】図２３は図２１に示した実施態様の固定装置の分解斜視図である。
【図２４】図２４は本発明に係る固定装置の他の実施態様の斜視図である。
【図２５】図２５は図２４に示した実施態様の固定装置が締め付けられていない時の側部断面図である。
【図２６】図２６は図２４に示した実施態様の固定装置が締め付けられている時の側部断面図である。
【図２７】図２７は図２４に示した実施態様の固定装置の分解斜視図である。
【図２８】図２８は本発明の実施態様に従って製造された３股プラグの斜視図である。
【図２９】図２９は本発明の他の実施態様に従って製造された３股プラグの斜視図である。
【図３０】図３０は本発明の一実施態様に従って製造された２股プラグの斜視図である。
【図３１】図３１は本発明の他の実施態様に従って製造された２股プラグの斜視図である。
【図３２】図３２は本発明に係るソケットの一実施態様の部分断面図である。
【図３３】図３３は本発明に係るソケットの別の実施態様の部分断面図である。
【図３４】図３４は本発明に係るソケットの他の実施態様の部分断面図である。
【図１】
2004523074.tif 000003
【図２】
2004523074.tif 000004
【図３】
2004523074.tif 000005
【図４】
2004523074.tif 000006
【図５】
2004523074.tif 000007
【図６】
2004523074.tif 000008
【図７】
2004523074.tif 000009
【図８】
2004523074.tif 000010
【図９】
2004523074.tif 000011
【図１０】
2004523074.tif 000012
【図１１】
2004523074.tif 000013
【図１２】
2004523074.tif 000014
【図１３】
2004523074.tif 000015
【図１４】
2004523074.tif 000016
【図１５】
2004523074.tif 000017
【図１６】
2004523074.tif 000018
【図１７】
2004523074.tif 000019
【図１８】
2004523074.tif 000020
【図１９】
2004523074.tif 000021
【図２０】
2004523074.tif 000022
【図２１】
2004523074.tif 000023
【図２２】
2004523074.tif 000024
【図２３】
2004523074.tif 000025
【図２４】
2004523074.tif 000026
【図２５】
2004523074.tif 000027
【図２６】
2004523074.tif 000028
【図２７】
2004523074.tif 000029
【図２８】
2004523074.tif 000030
【図２９】
2004523074.tif 000031
【図３０】
2004523074.tif 000032
【図３１】
2004523074.tif 000033
【図３２】
2004523074.tif 000034
【図３３】
2004523074.tif 000035
【図３４】
2004523074.tif 000036
【国際公開パンフレット】
2004523074.tif 000037
2004523074.tif 000038
2004523074.tif 000039
2004523074.tif 000040
2004523074.tif 000041
2004523074.tif 000042
2004523074.tif 000043
2004523074.tif 000044
2004523074.tif 000045
2004523074.tif 000046
2004523074.tif 000047
2004523074.tif 000048
2004523074.tif 000049
2004523074.tif 000050
2004523074.tif 000051
2004523074.tif 000052
2004523074.tif 000053
2004523074.tif 000054
2004523074.tif 000055
2004523074.tif 000056
2004523074.tif 000057
2004523074.tif 000058
2004523074.tif 000059
2004523074.tif 000060
2004523074.tif 000061
2004523074.tif 000062
2004523074.tif 000063
2004523074.tif 000064
2004523074.tif 000065
2004523074.tif 000066
2004523074.tif 000067
2004523074.tif 000068
2004523074.tif 000069
2004523074.tif 000070
2004523074.tif 000071
2004523074.tif 000072
2004523074.tif 000073
【国際調査報告】
2004523074.tif 000074